(57)【要約】      （修正有）【課題】手持ち飲料水容器内の飲料水を飲む場合飲料容器のキャップを開け飲む際に溢しやすい、又、屋外で女性がその状態で飲む場合体裁が悪く飲みにくい面がありり、どのような場面でも飲む事が出来、飲料用容器に便利で衛生的に対応出来る吸飲口の提供。【解決手段】飲料容器内に、予め取り外し可能な、キャップパッキン２とジャバラ付ストローが一体に構成された装置を装着する。ストローはキャップパッキン２で固定されストローの一部分にジャバラ付きで９０度屈折可能でストローは飲料水容器内底部までのストローで吸飲出来るようにする。キャップを開けるとストローがありジャバラ部分で９０度に曲げて吸飲出来るようにする。その為、吸水する時飲料容器を横にしなくても飲め、子供が飲む時こぼさずに飲め、人の前で、吸飲する時、女性が飲んでもマナーとしても良い。【選択図】図１
2011240094.tif 000002
【特許請求の範囲】
【請求項１】
飲料水容器に吸飲用ストローとキャップパッキンベースを一体とし、吸飲容器上部開口に出た吸飲ストローを納める飲料容器のキャップ。
飲料水容器上部開口部に装着するストローの一部に曲がり用ジャバラ部分を設ける、ジャバラは収縮が不可のため飲料水容器のキャップ部分内に納めるスペースを設ける。
簡単な操作と安価な装置で、飲料水容器内の飲料水を飲むための吸飲を可能に工夫したもので、ストローはポリプロピレン材、曲げ部分のジャバラは１０ミリが限界である、その部分を曲げて吸飲する。
的量分吸飲した後曲げたストローを元に戻しキャップ内に納め蓋をする事が可能な装置を特徴とする。
【請求項２】
キャップパッキンと一体にしたジャバラ付きストローは飲料水容器内の底部に接し底より吸飲する、ストローの上部は、飲料水容器の本体の上部開口部より３０ミリ程突き出た状態としている。
【請求項３】
キャップパッキンとストローを一体としたものは予め飲料水容器内本体に取り付ける、吸飲状態により飲料水容器に装着した装置はキャップを開けた後取り外し可能とし、不要の時は取り外して使用出来ることを特長とる。
【請求項４】
飲料水容器内の飲料水を吸飲する時ストローのジャバラ部分を曲げて吸飲する時曲げたストローの角度を一方向に固定することが出来ることを特徴とする。
【発明の詳細な説明】
【技術分野】
【０００１】この発明は、手持ち飲料水容器内の飲料水を飲む時、ＴＰＯに対応した手持ち飲料水容器内の飲料水を飲む吸飲装置を装着したものである。
【背景技術】
【０００２】手持ちで飲む飲料水の飲料容器は、飲料容器と上部開口部とキャップで出来ていて、上部のキャップを開け、その口から飲むものが殆どであり、単純な容器と蓋キャップで出来ているが、近年様々な人や、いろんな状態、時、場所で飲む機会が多くなり、飲む場合、その状態ではＴＰＯやその時の吸飲する状況のマナーなど、又、その時の吸飲する飲み方などの対応が必要になってきている、外出時など携帯として持ち歩き必要に応じて吸飲する機会が多くなっている、歩きながら、又は、電車の中、或いは会議中など様々な所でそのまま人前で飲むにはマナーとして都合が悪い場合がある。
又、装置の技術的、素材の開発が進み安価で出来る設備が整ってきている。
【先行技術文献】
【特許文献】
【０００３】特開２００６−２０４８４０
【発明の概要】
【発明が解決しようとする課題】
【０００４】多様な現代社会に於いて、本発明の解決課題の目的は、手持ち飲料容器内の飲料水を飲む時ＴＰＯに応じた吸飲が出来るように対応した吸飲装置で、子供が飲む時、女性が人前で吸飲する時や、車中、会議中の水分補給、歩行中に水分補給など様々な吸飲の場面で吸飲する場合、安全で衛生的で、安価で簡単な操作で吸飲出来る装置の発明を提供することである。
【課題を解決するための手段】
【０００５】この発明は、手持ち飲料水容器内の飲料水を吸飲する場合、上記の吸飲時のＴＰＯに応じたマナーを解決するため飲料水容器内に、吸飲装置として吸飲開口部にキャップパッキンとストロー固定を一体としストローを底部まで入れた装置を装着する、飲料水容器上部開口部に出たストローを納めるスペースをキャップに設ける。
【発明の効果】
【０００６】本発明は、これまでの手持ち飲料容器の飲料水を飲む場合、吸飲状態に適応した装置を装着することで、様々な人がいろんな所で容易に吸飲できるようになり、給水補給が出来る、又、特に嗜好を味わう飲料水は、ストローで吸飲することで旨みが増大する、会議中に飲む場合にキャップを開けストローで吸飲することでマナーとしても良くコップなどを用意したりする経費が無くてすむ。
快適な生活環境に寄与し消費量の増にも効果が望める。
【図面の簡単な説明】
【０００７】
【図１】本発明の飲料水容器のキャップとキャップパッキンと簡易ストローの固定ベース。ストロキャップ斜視図断面図（ａ）、キャップ断面図（ｂ）、飲料水容器取付キャップパッキンベースとストロー一体にした斜視図に破線でストローのジャバラ部分で曲げた状態（ｃ）、同飲料水容器に装着するキャップパッキンとジャバラ付ストロー断面図に破線でストロージャバラ部分で曲げた状態（ｄ）、である。
【図２】飲料水容器に取付ける簡易吸飲本発明の図。キャップ姿斜視図（ａ）、飲料水容器に取付けた吸飲ストロー断面図に破線でストロージャバラ部分で曲げた状態（ｂ）、飲料水容器上部口に取付けた吸飲ストローとキャップパッキンとストローを固定するベースとキャップの詳細断面図（ｃ）。
【図３】吸飲ストローを吸飲時曲げて吸飲するストローを固定する装置。飲料容器に取付けるキャップパッキンとストロー固定ベースと吸飲時曲げて吸飲するストローを固定する装置斜視図に破線でストロージャバラ部分で曲げ角度固定の状態（ａ）、吸飲ストローとキャップパッキン断面図に破線でストロージャバラ部分で曲げた状態（ｂ）、飲料水容器にストローを取付けた断面図に破線でストロージャバラ部分を曲げ角度固定状態（ｃ）、飲料水容器上部口の吸飲ストローとキャップパッキンと固定ベース及びキャップ詳細図（ｄ）。
【図４】飲料水容器に装着された飲料水吸飲装置図である。飲料水容器に装着した簡易吸飲ストロー装置キャップを開けた断面図に破線でストロージャバラ部分を曲げた状態（ａ），キャップを装着した断面図（ｂ）飲料水容器に装着した吸飲時曲げたストローを固定する装置のキャップを開けた断面図に破線でストロージャバラ部分を曲げた状態（ｃ）、吸飲時曲げたストローを固定装置と飲料水容器にキャップをした断面（ｄ）。
【発明を実施するための形態】
【０００８】以下に、本発明の適切な状態を実施例の第１，第２にて説明をする。
【０００９】本発明に関する吸飲用装置第１の実施例について、図１、図２、図４（ａ）（ｂ）は本発明の飲料容器に装着するキャップパッキンと簡易吸飲ストローを固定するベースとキャップである。
【００１０】本発明に実施例第２の吸飲ストロー吸飲時曲げストロー固定装着実施例について、図３と図４（ｃ）（ｄ）使用するストロー固定装置。
【符号の説明】
【００１１】  １    飲料容器キャップ
２    キャップパッキン
３    ストロー固定ベース
３ａ  ストロー飲料容器内底部
４    ストロー曲げジャバラ
５    飲料容器ストロー固定ベース
６    ストロー固定ベース容器取り付け足
７    ストロー曲げ固定具
８    ストロー曲げ状態
９    飲料水容器
１０    リング
１１    穴
【図１】
2011240094.tif 000003
【図２】
2011240094.tif 000004
【図３】
2011240094.tif 000005
【図４】
2011240094.tif 000006